(57)【要約】【課題】電源電圧をそのまま出力電圧として出力するか否かを切り替えるスイッチを設け、出力電圧が一旦降圧したり、スイッチを破壊したりしない昇圧型スイッチングレギュレータ回路を実現する。【解決手段】電源電圧を出力電圧として出力するか否かを切り替えるスイッチ１７と、昇圧回路３０−１を駆動するか否かを制御する制御回路１９と、を備え、部材の駆動電圧が電源電圧に比べて大きいときは、昇圧回路３０−１を駆動し、昇圧された電圧を出力電圧として出力し、出力電圧が上昇してから、スイッチ１７をオフして電源電圧を出力電圧として出力せず、部材の駆動電圧が電源電圧に比べて小さいときは、昇圧回路３０−１を停止し、出力電圧が低下してから、スイッチ１７をオンして電源電圧を出力電圧として出力する。【選択図】図１
2006054968.tif 000002
【特許請求の範囲】
【請求項１】
電源電圧を昇圧し、昇圧された電圧を出力電圧として出力する昇圧回路を備え、出力電圧を出力端子に接続された部材に出力する昇圧型スイッチングレギュレータ回路であって、
オン抵抗を有し電源電圧を出力端子に供給するか否かを切り替えるスイッチと、
出力端子に接続された部材の必要駆動電圧に応じて昇圧回路を駆動するか否かを制御する制御回路と、
を備え、
出力端子に接続された部材の必要駆動電圧が電源電圧に比べて大きくなったときは、昇圧回路を駆動し、出力電圧が基準電圧以上になってから、スイッチをオフし、出力端子に接続された部材の必要駆動電圧が電源電圧に比べて小さくなったときは、昇圧回路を停止し、出力電圧が基準電圧以下となってから、スイッチをオンし、スイッチを介して供給される電源電圧を出力電圧として出力することを特徴とする昇圧型スイッチングレギュレータ回路。
【請求項２】
請求項１記載の昇圧型スイッチングレギュレータ回路であって、
基準電圧と出力電圧を比較し、比較した結果に応じてスイッチの切り替えを制御する比較回路を備えることを特徴とする昇圧型スイッチングレギュレータ回路。
【請求項３】
請求項１又は２に記載の昇圧型スイッチングレギュレータ回路であって、
前記スイッチは、トランジスタスイッチであることを特徴とする昇圧型スイッチングレギュレータ回路。
【請求項４】
請求項１から３のいずれか１に記載の昇圧型スイッチングレギュレータ回路であって、
前記基準電圧は、電源電圧であることを特徴とする昇圧型スイッチングレギュレータ回路。
【発明の詳細な説明】
【技術分野】
【０００１】
本発明は、携帯機器に搭載される昇圧型スイッチングレギュレータ回路に関する。
【背景技術】
【０００２】
携帯電話やＰＤＡ（Personal  Digital  Assistance）といった携帯機器は、携帯機器に搭載された電池（二次電池を含む）から供給される電源電圧で動作している。例えば、携帯電話等では、これに搭載された３Ｖ仕様のＬｉイオン電池から電源電圧を得ている。一方、前述したような携帯機器には、電池から供給される電源電圧よりも高い電圧を必要とする部材も搭載されている。例えば、携帯電話等に搭載された発光ダイオードは、５Ｖ程度の電圧を印加しなければならない場合が多い。従って、これら携帯機器には、電池から供給される電源電圧を昇圧する回路が搭載されている。このような回路の１つに昇圧型スイッチングレギュレータ回路があり、その一例を図４に示す。
【０００３】
図４に示す従来の昇圧型スイッチングレギュレータ回路は、チョッパ型であり、基準電圧発生回路１、エラーアンプ３、ＰＷＭ回路５、ドライバ回路７、スイッチングトランジスタ９ａ、ダイオード９ｂ、コイル１１、及びコンデンサ１３により構成された昇圧回路４０を有し、電池から供給された電源電圧Ｖｉを、所定の出力電圧Ｖｏに昇圧させて出力する。
【０００４】
基準電圧発生回路１は、基準電圧Ｖｂを発生させる回路であり、その出力部がエラーアンプ３の入力部の一方に接続されている。エラーアンプ３は、基準電圧Ｖｂと、出力電圧Ｖｏと、を比較し、この比較の結果に基づいた誤差信号を出力する。また、エラーアンプ３の出力部は、ＰＷＭ回路５の入力部に接続されている。なお、誤差信号は、基準電圧Ｖｂと出力電圧Ｖｏの差が大きいほど、大きくなる。
【０００５】
ＰＷＭ回路５は、エラーアンプ３から出力された誤差信号に基づいて、デューティー比が設定されたＰＷＭ信号を出力する回路であり、その出力部がドライバ回路７の入力部に接続されている。またＰＷＭ信号のデューティー比は、誤差信号の値が大きいほど、大きくなる。従って、ＰＷＭ回路５が三角波と誤差信号に応じて決定される基準レベルを比較するものであれば、ＰＷＭ信号は三角波の方が基準レベルより大きいときに、ローレベルになる。ドライバ回路７は、ＰＷＭ回路５から出力されたＰＷＭ信号を、後述するスイッチングトランジスタ９ａをスイッチング制御ができる程度に増幅する増幅回路であり、その出力部がスイッチングトランジスタ９ａのゲートに接続されている。
【０００６】
スイッチングトランジスタ９ａは、ＰＷＭ信号がハイレベルのときにオンするｎチャネル型のＦＥＴである。また、スイッチングトランジスタ９ａは、ドレインがコイル１１に接続され、ソースが接地されている。ダイオード９ｂは、アノードがコイル１１に接続され、カソードがコンデンサ１３の一方の端子と出力電圧Ｖｏを出力する出力端子に接続されている。コイル１１は、スイッチングトランジスタ９ａのスイッチング制御に応じて、流れる電流量が制御されるコイルであり、一方の端子がここでは図示しない電池に接続され、他方の端子がダイオード９ｂのアノードとスイッチングトランジスタ９ａのドレインに接続されている。
【０００７】
コンデンサ１３は、一方の端子が接地され、他方の端子が昇圧型スイッチングレギュレータ回路の出力端子に接続されている。また、この出力電圧Ｖｏは、前述したエラーアンプ３の入力端子の一方に帰還される。以上の構成により、図４に示す従来の昇圧型スイッチングレギュレータ回路は、電池から供給された電源電圧Ｖｉを、所定の出力電圧Ｖｏに昇圧し出力する。次に、従来の昇圧型スイッチングレギュレータ回路の動作について説明する。
【０００８】
基準電圧発生回路１で発生した基準電圧Ｖｂは、エラーアンプ３の一方の入力端子に入力される。一方、エラーアンプ３の他方の入力端子には、出力電圧Ｖｏが入力される。エラーアンプ３は、入力された２つの電圧値を比較し、出力電圧Ｖｏと基準電圧Ｖｂの差に応じた誤差信号を出力する。なお、前述したように誤差信号は、基準電圧Ｖｂと出力電圧Ｖｏの差が大きいほど、大きくなる。
【０００９】
次に、ＰＷＭ回路５は、エラーアンプ３から出力された誤差信号に応じて、出力するＰＷＭ信号のデューティー比を設定し、デューティー比が設定されたＰＷＭ信号を出力する。ここで、ＰＷＭ信号のデューティー比は、前述したように、誤差信号の値が大きいほど、大きくなる（ハイレベルの時間が長くなる）。ＰＷＭ回路５から出力されたＰＷＭ信号は、ドライバ回路７に入力され、前述したようにスイッチングトランジスタ９ａのスイッチング制御ができる程度に増幅される。ドライバ回路７により増幅されたＰＷＭ信号は、スイッチングトランジスタ９ａのゲートに印加され、スイッチングトランジスタ９ａをスイッチング制御する。以下、このスイッチング制御について詳細に説明する。
【００１０】
ＰＷＭ回路５から出力され、ドライバ回路７により増幅されたＰＷＭ信号がハイレベルのとき、スイッチングトランジスタ９ａがオンになる。このとき、コイル１１に電流が流れる。
【００１１】
次に、ＰＷＭ信号がローレベルになると、スイッチングトランジスタ９ａがオフになる。このとき、コイル１１には流れる電流量の変化に応じたコイル電圧Ｖｌが発生する。これにより、コイル１１のダイオード９ｂに接続された端部の電圧Ｖは、電源電圧Ｖｉとコイル１１に発生したコイル電圧Ｖｌとを加えた電圧（Ｖ＝Ｖｉ＋Ｖｌ）となると共に、この出力電圧Ｖに応じた電荷がコンデンサ１３に充電され、出力電圧Ｖｏとなる。そして、コンデンサ１３に保持された出力電圧Ｖｏは、出力端子に接続された機器に供給される。このように、スイッチングトランジスタ９ａのスイッチング制御により、電源電圧Ｖｉが昇圧され、昇圧した電圧が、出力電圧Ｖｏとして出力される。
【発明の開示】
【発明が解決しようとする課題】
【００１２】
以上説明したように、昇圧型スイッチングレギュレータ回路では、携帯機器に搭載された電池から供給される電源電圧を昇圧するため、携帯機器に搭載された電池から供給される電源電圧よりも高い駆動電圧を必要とする部材を駆動させることができる。
【００１３】
一方、前述したような携帯機器には、その状況に応じて必要とする駆動電圧（必要駆動電圧）が変動する部材が搭載されている。例えば、発光ダイオードは、所要の発光輝度に応じて必要な電流量が変動し、この電流量に応じて準方向バイアス電圧が、数Ｖから５Ｖ程度の間で変動する。また、前述したように携帯電話等に搭載されるＬｉイオン電池は、３Ｖ仕様であり、満充電時に４Ｖ程度の電源電圧が得られる。従って、前述したような発光ダイオードの駆動電圧は、携帯機器に搭載された電池から供給される電源電圧以上となることも、電源電圧以下になることもある。
【００１４】
電池から供給される電源電圧が、携帯機器に搭載された部材（前述したような発光ダイオード等）の必要駆動電圧以上の電圧であるときに、昇圧回路を駆動すると、無駄な電力を消費してしまい、電池の消耗を早めてしまう。一方、電池が満充電であっても、前述したように電池から供給される電源電圧を昇圧回路により昇圧して出力することが必要なことがある。
【００１５】
このような電池の消耗を軽減すると共に、その必要に応じて発光ダイオード等を電源電圧より高い電圧で駆動するには、昇圧型スイッチングレギュレータ回路が、携帯機器に搭載された部材の駆動電圧に応じて、昇圧回路を駆動させて昇圧した電圧を出力電圧とするか、又は、電源電圧をそのまま出力電圧とするか、を切り替えられる構成であることが望ましい。
【００１６】
一方、前述したような昇圧型スイッチングレギュレータ回路の出力電圧を切り替え可能にする構成には、その切り替えに伴う課題がある。これを、図５を用いて詳細に説明する。図５は、前述した出力電圧を切り替え可能にしたときの昇圧型スイッチングレギュレータ回路の動作を示す図である。携帯機器に搭載された部材の駆動電圧が、電池から供給される電源電圧以下のとき、前述した昇圧型スイッチングレギュレータ回路は、昇圧回路をオフ（停止）し、スイッチをオンする。これにより、昇圧型スイッチングレギュレータ回路の出力端子には電源電圧が出力電圧としてそのまま供給される。
【００１７】
ここで、携帯機器に搭載された部材の必要とする駆動電圧が、電池から供給される電源電圧以上になったとき、昇圧型スイッチングレギュレータ回路は、昇圧回路をオン（駆動）し、スイッチをオフする。これにより、昇圧型スイッチングレギュレータ回路の出力端子には、昇圧回路により昇圧された電圧が出力電圧として供給される。しかし、昇圧回路により昇圧され出力される電圧は直ぐには所定の出力電圧にならないため、昇圧型スイッチングレギュレータ回路から出力される出力電圧は一旦下がってしまう。これにより、昇圧型スイッチングレギュレータ回路の出力端子から出力される電圧は、一旦低下する。
【００１８】
また、携帯機器に搭載された部材の必要とする駆動電圧が、電池から供給される電源電圧以下になったとき、昇圧型スイッチングレギュレータ回路は、昇圧回路をオフ（停止）し、スイッチをオンする。これにより、昇圧型スイッチングレギュレータ回路の出力端子と電池が直接接続され、電源電圧が出力電圧として供給される。このとき、出力端子に接続されたコンデンサには、前述したように電源電圧を昇圧した電圧に充電されている。このため、コンデンサに充電されている電源電圧は電池から供給される電源電圧より高い。スイッチがオンしたときのインピーダンスは、非常に小さい値（数Ω程度）であるため、コンデンサからスイッチを介した電池の方向に対し大電流が流れてしまう。従って、携帯機器に搭載された部材の駆動電圧が、電池から供給される電源電圧以下になったとき、昇圧型スイッチングレギュレータ回路は、昇圧回路をオフ（停止）し、スイッチをオンすると、スイッチや、電池に損傷を与えてしまう可能性がある。
【００１９】
本発明の目的は、携帯機器に搭載された電池の消耗を軽減すると共に、必要に応じて昇圧回路を駆動して出力端子に接続された部材に昇圧された電圧を供給することにある。
【課題を解決するための手段】
【００２０】
上記課題を解決するために、本発明は、電源電圧を昇圧し、昇圧された電圧を出力電圧として出力する昇圧回路を備え、出力電圧を出力端子に接続された部材に出力する昇圧型スイッチングレギュレータ回路であって、オン抵抗を有し電源電圧を出力端子に供給するか否かを切り替えるスイッチと、出力端子に接続された部材の必要駆動電圧に応じて昇圧回路を駆動するか否かを制御する制御回路と、を備え、出力端子に接続された部材の必要駆動電圧が電源電圧に比べて大きくなったときは、昇圧回路を駆動し、出力電圧が基準電圧以上になってから、スイッチをオフし、出力端子に接続された部材の必要駆動電圧が電源電圧に比べて小さくなったときは、昇圧回路を停止し、出力電圧が基準電圧以下となってから、スイッチをオンし、スイッチを介して供給される電源電圧を出力電圧として出力することを特徴とする。
【００２１】
また、基準電圧と出力電圧を比較し、比較した結果に応じてスイッチの切り替えを制御する比較回路を備えることが望ましい。
【００２２】
また、前記スイッチは、トランジスタスイッチであることが望ましい。
【００２３】
また、前記基準電圧は、電源電圧であることが望ましい。
【発明の効果】
【００２４】
本発明によれば、携帯機器に搭載された部材の必要駆動電圧に応じて、昇圧回路を駆動させて昇圧した電圧を出力電圧とするか、又は、昇圧回路を駆動させずに電源電圧をそのまま出力電圧とするか、を切り替えられる構成を実現し、さらに、出力電圧が一旦低下したり、スイッチや電池に悪影響を与えたりしない昇圧型スイッチングレギュレータ回路を実現することができる。
【発明を実施するための最良の形態】
【００２５】
以下、本発明を実施するための最良の形態について図面を用いて説明する。ここで、本実施形態の昇圧型スイッチングレギュレータ回路は、携帯電話又はＰＤＡといった携帯機器に搭載され、携帯機器に搭載された電池から供給される電源電圧を昇圧し、昇圧した電圧を出力電圧として携帯機器に搭載された発光ダイオードに供給しているものとする。なお、従来例と同様の又は対応する部材には同一の符号を付すものとする。以下、本実施形態に関わる昇圧型スイッチングレギュレータ回路について図面を用いて説明する。
【００２６】
図１は、本実施形態に関わる昇圧型スイッチングレギュレータ回路を示す図である。図１に示す昇圧型スイッチングレギュレータ回路では、基準電圧発生回路１、エラーアンプ３、ＰＷＭ回路５、ドライバ回路７、スイッチングトランジスタ９ａ、ダイオード９ｂ、コイル１１、コンデンサ１３により昇圧回路３０−１を構成し、さらに、比較回路１５、スイッチ１７、制御回路１９を備える。
【００２７】
比較回路１５は、昇圧型スイッチングレギュレータ回路の出力端子から出力される出力電圧を検出し、検出した出力電圧が基準電圧以上であるか否かを判定し、その判定結果に応じて、後述するスイッチ１７のオン／オフを切り替える切り替え信号を出力する。この比較回路１５は、入力部が昇圧回路３０−１の出力端子に接続され、出力部が後述するスイッチ１７の切り替え端子に接続されている。なお、前述した基準電圧は、電源電圧Ｖｉを用いるが、これについては後述する。
【００２８】
スイッチ１７は、前述した比較回路１５から出力された切り替え信号に基づいて、オン／オフが制御されるスイッチである。このスイッチ１７は、一方の端子がここでは図示しない携帯機器に搭載された電池に接続され、他方の端子が昇圧型スイッチングレギュレータ回路の出力端子に接続され、切り替え端子が前述した比較回路１５の出力部に接続されている。また、このスイッチ１７は、ＭＯＳ−ＦＥＴ等のトランジスタにより構成されオン抵抗を有している。
【００２９】
制御回路１９は、ここでは図示しない出力端子に接続された部材の駆動電圧に応じて、昇圧回路３０−１の駆動／停止を制御する回路である。この制御回路１９は、出力部が比較回路１５と昇圧回路３０−１に接続される。次に、本実施形態に係る昇圧型スイッチングレギュレータ回路の動作について図１及び図２を用いて詳細に説明する。
【００３０】
出力端子に接続された発光ダイオードの必要とする駆動電圧が、携帯機器に搭載された電池から供給される電源電圧以下のとき、制御回路１９は昇圧回路３０−１を停止させる。また、比較回路１５は、出力端子に接続された発光ダイオードの駆動電圧が、電池から供給される電源電圧Ｖｉ以下であるためスイッチ１７をオンさせる。これにより、電源電圧Ｖｉがスイッチ１７を介し、出力端子に供給される。ここで、スイッチ１７は、前述したように、トランジスタで構成されており、オン抵抗を有する。例えば、このオン抵抗をｒswとし、ここに流れる電流をｉとすれば、スイッチ１７における電圧降下ｖはｖ＝ｉ・ｒswとなる。従って、コンデンサ１３に充電される出力電圧Ｖ０は、電源電圧Ｖｉからスイッチ１７の電圧降下ｖを減算した、Ｖ０＝Ｖｉ−ｖとなっている。なお、電流ｉは出力端に接続されている部材発光ダイオードなどの部材に流れる電流量である。
【００３１】
出力端子に接続された発光ダイオードの駆動電圧が、電池から供給される電源電圧Ｖｉ以上になったとき、制御回路１９は、昇圧回路３０−１を駆動する。これによって、コイル１１端部に発生する高電圧に応じた電荷がダイオード９ｂを介し、コンデンサ１３に供給される。従って、出力端から流れ出る電流量が同一であっても、スイッチ１７に流れる電流ｉは減少する。ここで、前述したように、昇圧回路３０−１が動作を開始しても、その能力はすぐには上昇しない。このため、ダイオード９ｂからコンデンサ１３に供給される電荷量も徐々に増加する。そして、このダイオード９ｂを介しコンデンサ１３に供給する電荷量が出力端からの出力電流に見合ったものとなったときに、スイッチ１７を流れる電流ｉはｉ＝０となり、出力電圧Ｖ０＝Ｖｉとなる。
【００３２】
本実施形態では、比較回路１５は、出力電圧Ｖ０と電源電圧Ｖｉを比較しており、Ｖ０≧Ｖｉとなったことを検出して、スイッチ１７をオフする。昇圧回路３０−１の能力はその後も上昇していくため、ダイオード９ｂを介しコンデンサ１３に供給される電荷量はその後も上昇し、出力端から流れ出す電荷量を上回り、出力電圧Ｖ０は、設定された目標電圧まで、上昇される。
【００３３】
ここで、本実施形態においては、昇圧回路３０−１の駆動開始と同時に、スイッチ１７をオンする。これにより、前述したような切り替えに伴う降圧をすることなく、昇圧型スイッチングレギュレータ回路の出力端子に、所定の出力電圧Ｖｏを得ることができる。
【００３４】
また、出力端子に接続された発光ダイオードの駆動電圧が、電池から供給される電源電圧Ｖｉ以下になったとき、制御回路１９は、昇圧回路３０−１を停止させる。このとき、前述したように、出力端子に接続されたコンデンサ１３には、電源電圧を昇圧した電圧に充電されており、電池から供給される電源電圧と、コンデンサ１３に充電されている出力電圧との間に電位差が発生する。このような状態で、スイッチ１７をオンしてしまうと、スイッチ１７のインピーダンスが非常に小さい値（数Ω程度）であるため、コンデンサ１３からスイッチ１７を介した電池の方向に対し大電流が流れてしまう。
【００３５】
しかし、比較回路１５に供給される出力電圧Ｖｏは、電源電圧Ｖｉ以上であるため、比較回路１５は、スイッチ１７をオフし続ける。そして、比較回路１５は、出力端子からの電流出力により出力電圧Ｖｏが電源電圧Ｖｉ以下になったときにスイッチ１７をオンする。これにより、昇圧型スイッチングレギュレータ回路の出力端子と電池が直接接続され、電源電圧が出力電圧として供給されるが、電池とコンデンサ１３との間の電位差が解消されたときに、スイッチ切り替えをしているため、コンデンサ１３から電池の方向に大電流が流れることがない。
【００３６】
以上説明したように、本実施形態に示す昇圧型スイッチングレギュレータ回路は、電池から供給された電源電圧を出力電圧として出力するか否かを切り替えるスイッチと、出力端子に接続された部材の駆動電圧に応じて昇圧回路を駆動するか否かを制御する制御回路と、を備え、出力端子に接続された部材の駆動電圧が電源電圧に比べて大きいときは、昇圧回路を駆動し、これにより昇圧された電圧を出力電圧として出力し、出力電圧が基準電圧以上になってから、スイッチをオフして電池から供給される電源電圧を出力電圧として出力しないようにし、出力端子に接続された部材の駆動電圧が電源電圧に比べて小さいときは、昇圧回路を停止し、出力電圧が基準電圧以下となってから、スイッチをオンして電池から供給される電源電圧を出力電圧として出力する構成とした。
【００３７】
これにより、本実施形態に示す昇圧型スイッチングレギュレータ回路は、携帯機器に搭載された部材を駆動させる電圧に応じて、昇圧回路を駆動させて昇圧した電圧を出力電圧とするか、又は、昇圧回路を駆動させずに電源電圧をそのまま出力電圧とするか、を切り替えられる構成を実現し、さらに、電源電圧をそのまま出力電圧として出力するか否かを切り替えるスイッチを設け、出力電圧が一旦降圧したり、スイッチなどを破壊したりすることがない。なお、本実施形態では出力電圧を検出して、その電圧値に応じてスイッチの切り替えを行う構成であったが、昇圧回路が駆動（又は停止）した所定時間（Ｖｏ≧Ｖｉとなるのに必要な時間）後にスイッチを切り替えるという構成であっても良い。なお、本実施形態では、プラスの昇圧について説明したが、マイナスの昇圧についても同様の効果が得られることは言うまでも無く、本発明の趣旨から離れるものではない。
【００３８】
また、本実施形態では、チョッパ型の昇圧型スイッチングレギュレータ回路について説明したが、ダイオード９ｂの代わりにスイッチングトランジスタを用いて同期整流型の昇圧型スイッチングレギュレータ回路としても同様の効果が得られる。図３は、同期整流型の昇圧型スイッチングレギュレータ回路を示す図である。
【００３９】
図３において、スイッチングトランジスタ９ｃは、ドライバ回路７から出力されたＰＷＭ信号がゲートに印加され、このＰＷＭ信号がローレベルのときにオンするｐチャネル型スイッチングＦＥＴである。この、スイッチングトランジスタ９ｃは、ゲートがドライバ回路７の出力部に接続され、ドレインがコイル１１とスイッチングトランジスタ９ａのドレインに接続され、ソースがコンデンサ１３の一方の端子に接続されている。すなわち、スイッチングトランジスタ９ｃは、スイッチングトランジスタ９ａがオンのときオフになり、スイッチングトランジスタ９ａがオフのときオンとなるスイッチとして機能する。なお、コイル１１及びコンデンサ１３の充放電、スイッチ１７のオン／オフ、及び昇圧回路３０−２の駆動／停止については、チョッパ型の昇圧型スイッチングレギュレータ回路と同様である。従って、ダイオード９ｂの代わりにスイッチングトランジスタ９ｃを配置する同期整流型の昇圧型スイッチングレギュレータ回路であっても同様の効果が得られる。
【図面の簡単な説明】
【００４０】
【図１】本発明の実施形態に関わる昇圧型スイッチングレギュレータ回路を示す図である。
【図２】本発明の実施形態に関わる昇圧型スイッチングレギュレータ回路の動作を示す図である。
【図３】本発明の実施形態に関わる昇圧型スイッチングレギュレータ回路を同期整流型で実現したときの回路を示す図である。
【図４】従来の昇圧型スイッチングレギュレータ回路を示す図である。
【図５】従来の昇圧型スイッチングレギュレータ回路の動作を示す図である。
【符号の説明】
【００４１】
１  基準電圧発生回路、３  エラーアンプ、５  ＰＷＭ回路、７  ドライバ回路、９ａ，９ｃ  スイッチングトランジスタ、９ｂ  ダイオード、１１  コイル、１３  コンデンサ、１５  比較回路、１７  スイッチ、１９  制御回路。
【図１】
2006054968.tif 000003
【図２】
2006054968.tif 000004
【図３】
2006054968.tif 000005
【図４】
2006054968.tif 000006
【図５】
2006054968.tif 000007